(57)【要約】【課題】複数の記録層を有する光ディスクにおいて、データが記録されている上位記録層と同じ半径位置の下位記録層に情報を記録する際の最適記録パワー値を算出する。【解決手段】光ディスク記録再生装置１は、ＤＶＤ２０が有する第２記録層のデータ領域に情報を記録する場合、間欠記録の休止期間中に、ＯＰＣにより記録パワー値を算出するとともに、データ領域において算出した反射光比率に応じてＯＰＣによって算出した記録パワー値を補正し、この補正された記録パワー値を最適記録パワー値として記憶部２１に記憶させる。その後、マイクロコンピュータ１９は、ＤＶＤ２０の第２記録層に情報を記録する際、この記憶部２１に記憶させた最適記録パワー値を用いてレーザ光を出射するように光ピックアップ１２を制御する。【選択図】図１
2009070463.tif 000002
【特許請求の範囲】
【請求項１】
情報が記録されるデータ領域と当該データ領域での記録条件を決定するためのテスト領域とを備える記録層を複数有する光ディスクにレーザ光を照射して情報の記録及び再生を行う記録再生装置であって、
上記複数の記録層の内の所定の記録層に対して上記レーザ光を照射して情報の記録及び再生を行う光ピックアップと、
上記光ピックアップを制御する制御手段とを備え、
上記制御手段は、
上記複数の記録層の内、上記レーザ光の入射側に近い位置に存在する上位記録層よりも上記レーザ光の入射側から遠い位置に存在する下位記録層の上記データ領域に対する情報の記録条件を決定する際に、上記下位記録層の上記テスト領域にテストデータの記録及び再生を行うことにより上記下位記録層の上記データ領域に情報を記録する際の記録パワー値を算出するとともに、
上記下位記録層の情報を記録しようとする位置において上記レーザ光の反射光量を検出し、上記記録パワー値を当該検出された反射光量に応じて補正し、当該補正された記録パワーを上記下位記録層の上記データ領域に情報を記録する際の最適記録パワー値とし、当該最適記録パワー値で上記光ディスクに情報の記録を行うように上記光ピックアップを制御する
ことを特徴とする記録再生装置。
【請求項２】
上記制御手段は、
上記複数の記録層の内、上記下位記録層の上記データ領域に対する情報の記録条件を決定する際に、上記下位記録層の上記テスト領域にテストデータの記録及び再生を行うことにより上記下位記録層の上記データ領域に情報を記録する際の記録パワー値を算出するとともに、
上記下位記録層の上記データ領域の内、上記上位記録層の上記データ領域の既に情報が記録されている位置と同じ半径位置における上記レーザ光の反射光量と上記上位記録層の上記データ領域の未だ情報が記録されていない位置と同じ半径位置における上記レーザ光の反射光量との比を算出し、
上記記録パワー値を上記データ領域にて算出された反射光量比に応じて補正し、当該補正された記録パワーを上記下位記録層の上記データ領域に情報を記録する際の最適記録パワー値とし、当該最適記録パワー値で上記光ディスクに情報の記録を行うように上記光ピックアップを制御する
ことを特徴とする請求項１記載の記録再生装置。
【請求項３】
上記制御手段は、データの間欠記録の記録休止期間中に上記最適記録パワーの算出処理を行うことを特徴とする請求項１記載の記録再生装置。
【請求項４】
情報が記録されるデータ領域と当該データ領域での記録条件を決定するためのテスト領域とを備える記録層を複数有する光ディスクにレーザ光を照射して情報の記録及び再生を行う記録再生方法であって、
上記複数の記録層の内、レーザ光の入射側に近い位置に存在する上位記録層よりも上記レーザ光の入射側から遠い位置に存在する下位記録層の上記データ領域に対する情報の記録条件を決定する際に、上記下位記録層の上記テスト領域にテストデータの記録及び再生を行うことにより上記下位記録層の上記データ領域に情報を記録する際の記録パワー値を算出するとともに、
上記下位記録層の情報を記録しようとする位置において上記レーザ光の反射光量を検出し、上記記録パワー値を当該検出された反射光量に応じて補正し、当該補正された記録パワーを上記下位記録層の上記データ領域に情報を記録する際の最適記録パワー値とする
ことを特徴とする記録再生方法。
【発明の詳細な説明】
【技術分野】
【０００１】
本発明は、記録媒体に対して情報の記録及び再生を行う記録再生装置及び記録再生方法に関する。
【背景技術】
【０００２】
従来より、記録層が単層構造である記録媒体（単層記録媒体）、記録層が多層構造である記録媒体（多層記録媒体）の何れにおいても、個々の記録装置のばらつきや記録速度、記録媒体の特性等により記録を行うための最適なレーザパワーは異なるため、記録再生装置は、情報の追記又は書き換えを行う場合に記録媒体の所定のテスト領域で試し書きを行ってレーザの最適記録パワー制御（ＯＰＣ：Optimum Power Control）を行っている。
【０００３】
ＯＰＣは、記録パワーを複数セクタにおいて複数段、例えば、１６セクタにおいて１６段階であるセクタ毎に変化させて光ディスクの所定の位置に設けられたテスト領域にテストデータを記録し、セクタ毎のテストデータを再生してその信号品質を評価するものである。
【０００４】
再生信号の品質としては、通常、β値が用いられる。β値とは、ＡＣ結合された再生ＲＦ信号のエンベロープのピーク電圧（Ａ）とボトム電圧（Ｂ）を用いてβ＝（Ａ−Ｂ）／（Ａ＋Ｂ）にて特定されるパラメータであり、このβ値が所定範囲（例えば、０．０４〜０．０５）である場合に最適とされる。ここで、ＡＣ結合された再生ＲＦ信号とは、再生ＲＦ信号のＤＣ成分を除去し、交流成分だけとした信号である。記録再生装置は、所望のβ値（基準β値）が得られる記録パワーを最適記録パワーとして選択し、以後、この最適記録パワーでデータを記録する。
【０００５】
例えば、特許文献１には、レーザ光の入射側から数えて第２層目の記録層（以下、第２記録層という。）に情報を記録する場合に、この第２記録層よりレーザ光の入射側に位置している第１層目の記録層（以下、第１記録層という。）に既に情報が記録されているときには、第２記録層のテスト領域で試し書きを行う前に、第１記録層で第２記録層のテスト領域と同一の記録面に位置する部分に記録を行うことにより最適な記録パワーを求めるＯＰＣの技術が記載されている。
【０００６】
【特許文献１】特開２００７−４９７７号公報
【発明の開示】
【発明が解決しようとする課題】
【０００７】
しかしながら、特許文献１に記載されているような多層記録媒体において、第１記録層に情報を記録した後に第２記録層に情報を記録する場合、レーザ光が第１記録層を透過して第２記録層に情報を記録することにより、第１記録層の光透過率は、第１記録層の未記録時における光透過率と異なるため、最適な記録パワーも第１記録層の未記録時と異なり、最適記録パワーに誤差が生じた状態で情報の記録を行うと信号品質が劣化して信号の再生ができなくなる虞がある。
【０００８】
このような問題を解決する方法として、第２記録層の試し書き位置と同じ半径位置の第１記録層を予め記録することが考えられるが、起動時間が長い上、ディスクフォーマットから逸脱する虞があるため、現実的な解決方法とはいえない。
【０００９】
本発明は、このような従来の実情に鑑みて提案されたものであり、多層記録媒体の記録層に対して最適な記録パワーで情報を記録することが可能な記録再生装置及び記録再生方法を提供することを目的とするものである。
【課題を解決するための手段】
【００１０】
上述した目的を達成するために、本発明に係る記録再生装置は、情報が記録されるデータ領域と当該データ領域での記録条件を決定するためのテスト領域とを備える記録層を複数有する光ディスクにレーザ光を照射して情報の記録及び再生を行う記録再生装置であって、上記複数の記録層の内の所定の記録層に対して上記レーザ光を照射して情報の記録及び再生を行う光ピックアップと、上記光ピックアップを制御する制御手段とを備え、上記制御手段は、上記複数の記録層の内、上記レーザ光の入射側に近い位置に存在する上位記録層よりも上記レーザ光の入射側から遠い位置に存在する下位記録層の上記データ領域に対する情報の記録条件を決定する際に、上記下位記録層の上記テスト領域にテストデータの記録及び再生を行うことにより上記下位記録層の上記データ領域に情報を記録する際の記録パワー値を算出するとともに、上記下位記録層の情報を記録しようとする位置において上記レーザ光の反射光量を検出し、上記記録パワー値を当該検出された反射光量に応じて補正し、当該補正された記録パワーを上記下位記録層の上記データ領域に情報を記録する際の最適記録パワー値とし、当該最適記録パワー値で上記光ディスクに情報の記録を行うように上記光ピックアップを制御することを特徴とするものである。
【００１１】
また、上述した目的を達成するために、本発明に係る記録再生方法は、情報が記録されるデータ領域と当該データ領域での記録条件を決定するためのテスト領域とを備える記録層を複数有する光ディスクにレーザ光を照射して情報の記録及び再生を行う記録再生方法であって、上記複数の記録層の内、レーザ光の入射側に近い位置に存在する上位記録層よりも上記レーザ光の入射側から遠い位置に存在する下位記録層の上記データ領域に対する情報の記録条件を決定する際に、上記下位記録層の上記テスト領域にテストデータの記録及び再生を行うことにより上記下位記録層の上記データ領域に情報を記録する際の記録パワー値を算出するとともに、上記下位記録層の情報を記録しようとする位置において上記レーザ光の反射光量を検出し、上記記録パワー値を当該検出された反射光量に応じて補正し、当該補正された記録パワーを上記下位記録層の上記データ領域に情報を記録する際の最適記録パワー値とすることを特徴とするものである。
【発明の効果】
【００１２】
本発明によれば、多層記録媒体の第２層目以降の記録層に情報を記録する場合に、当該記録層に対する最適な記録パワーを求めることができる。
【発明を実施するための最良の形態】
【００１３】
以下、本発明を適用した具体的な実施の形態について、図面を参照しながら詳細に説明する。
【００１４】
図１は、本発明を適用した実施の形態における光ディスク記録再生装置１の構成を示す図である。光ディスク記録再生装置１は、ＤＶＤ（Digital Versatile Disk）２０を装填し、このＤＶＤ２０に対して情報の記録及び再生を行うものである。光ディスク記録再生装置１は、スピンドルモータ１１、光ピックアップ１２、サーボ回路１３、ＲＦ（Radio Frequency）回路１４、復調回路１５、インターフェース（以下、Ｉ／Ｆと記載する。）１６、変調回路１７、ＬＤ（Laser Diode）ドライブ回路１８、マイクロコンピュータ１９と、記憶部２１とを備える。
【００１５】
マイクロコンピュータ１９は、図示しないが、ＣＰＵ（Central Processing Unit）、ＲＯＭ（Read Only Memory）、及びＲＡＭ（Random Access Memory）がバスに接続された構成を備え、光ディスク記録再生装置１の各部を制御する。
【００１６】
スピンドルモータ１１は、サーボ回路１３によって制御され、装填されたＤＶＤ２０を一定速度で回転駆動する。光ピックアップ１２は、図示しないが、２軸アクチュエータ、レーザ光源であるＬＤ、ビームスプリッタ、対物レンズ、４分割フォトディテクタ等を備える。光ピックアップ１２は、２軸アクチュエータによってＤＶＤ２０の半径方向と、ＤＶＤ２０の記録面に対して直交する方向とに位置を微調整する。また、光ピックアップ１２は、スレッドモータ（図示せず）によってＤＶＤ２０の半径方向に移動することが可能である。
【００１７】
光ピックアップ１２が備えるＬＤはレーザ光源であり、ＤＶＤ２０のデータ記録面に対してレーザ光を照射する。ＤＶＤ２０のデータ記録面に照射されたレーザ光の反射光は、光ピックアップ１２のビームスプリッタを介して４分割フォトディテクタにて受光され、この４分割フォトディテクタにて受光された反射光の受光量が電気信号に変換されてＲＦ回路１４に供給される。
【００１８】
ＲＦ回路１４は、情報の再生時において、光ピックアップ１２が備える４分割フォトディテクタの各部における受光量に応じた電気信号を演算処理し、再生ＲＦ信号と、フォーカスエラー信号ＦＥと、トラッキングエラー信号ＴＥとを生成する。再生ＲＦ信号は復調回路１５に供給され、また、フォーカスエラー信号ＦＥ及びトラッキングエラー信号ＴＥは、サーボ回路１３に供給される。
【００１９】
サーボ回路１３は、ＲＦ回路１４より供給されたトラッキングエラー信号ＴＥ及びフォーカスエラー信号ＦＥに応じて、２軸アクチュエータを制御するためのサーボ信号を生成し、このサーボ信号を２軸アクチュエータに供給する。これにより、２軸アクチュエータが調整されてＤＶＤ２０上のトラック位置及びレーザ光のスポットサイズを適正にする。
【００２０】
復調回路１５は、供給された再生ＲＦ信号を復調処理するとともにエラー訂正処理等も行い、再生信号（再生データ）を生成し、この再生信号をＩ／Ｆ１６を通じてホスト機器（図示せず）に供給する。その後、データ制御部やデコード／エンコード部等による処理がなされたデータに基づく画像、音声等を再生する。
【００２１】
一方、光ディスク記録再生装置１は、データを記録する場合、Ｉ／Ｆ１６を介してホスト機器より受信したデータを変調回路１７に供給する。変調回路１７は、受信したデータを記録用の信号に変調してＬＤドライブ回路１８に供給する。ＬＤドライブ回路１８は、供給された記録用の信号に基づいて、ＬＤを駆動するためのドライブ信号を生成し、このドライブ信号を光ピックアップ１２のＬＤに供給する。これにより、記録するデータに応じた強度のレーザ光が、光ピックアップ１２のＬＤからＤＶＤ２０の記録面のトラック上に照射され、データがＤＶＤ２０の所定の位置に記録される。
【００２２】
なお、データの記録処理時においても、データの再生時と同様に、ＤＶＤ２０からのレーザの反射光に応じてＲＦ回路１４において生成されるトラッキングエラー信号ＴＥ及びフォーカスエラー信号ＦＥに応じたサーボ回路１３の制御により、トラッキングサーボ及びフォーカスサーボが行われ、ＤＶＤ２０上のトラックを、正確に、且つ適正な大きさのスポット形状のレーザ光によって走査することができる。
【００２３】
マイクロコンピュータ１９は、Ｉ／Ｆ１６を介してホスト機器との間で種々の情報の送受信を行う。例えば、記録対象の所定量分のデータをＤＶＤ２０上に記録することを指示する情報とともに、この記録対象の所定量分のデータがホスト機器から供給された場合には、変調回路１７及びＬＤドライブ回路１８を介して記録対象のデータに応じたＬＤのドライブ信号が光ピックアップ１２のＬＤに供給されてＤＶＤ２０に対してデータの記録を行う。
【００２４】
一般に、ディスク記録媒体を用いた記録再生装置では、ディスク記録媒体にデータの記録を行うディスクドライブに送信されるデータの転送レートよりもデータをディスク記録媒体に記録する場合のデータの書き込みレートを速くすることが可能である。マイクロコンピュータ１９は、所定量分のデータをＤＶＤ２０に記録し終えると、光ディスク記録再生装置１の各部を制御するとともに、各部への電源の供給を制御して記録停止状態にし、再度、記録対象の所定量分のデータがドライブ制御部から供給された場合に、各部を起動させ、所定量分のデータの記録を行うようにする。具体的には、マイクロコンピュータ１９は、記録時において、ＡＶ（Audio Visual）ストリーム等の所定量分のデータを書き込み用のライトバッファ（図示せず）に貯め、その間にＤＶＤ２０のドライブ回転を止めることにより光ディスク記録再生装置１を休止状態にし、ライトバッファに十分にデータが蓄積された後に光ディスク記録再生装置１を再起動し、このライトバッファに蓄積された所定量分のデータをＤＶＤ２０に書き込むようにする。このように、光ディスク記録再生装置１では、マイクロコンピュータ１９によって記録処理の休止期間を設ける間欠記録方式を適用することにより、消費電力の低減を図っている。
【００２５】
図２は、ＤＶＤ２０の概略的な構成を示す図である。図２に示すように、ＤＶＤ２０は、光透過保護層２０１と、レーザ光の入射側から数えて第１層目の記録層である第１記録層２０２と、レーザ光の入射側から数えて第２層目の記録層である第２記録層２０３と、第１記録層２０２と第２記録層２０３との間に設けられた中間層２０４と、保護層２０５とから構成されている。
【００２６】
光ディスク記録再生装置１がＤＶＤ２０の第２記録層２０３にデータを記録する際、光ピックアップ１２のＬＤより出射したレーザ光は、対物レンズ１２１にて絞り込まれ、光透過保護層２０１、第１記録層２０２、及び中間層２０４を透過して第２記録層２０３に到達し、第２記録層２０３にて反射されて反射光として中間層２０４、第１記録層２０２、及び光透過保護層２０１を透過する。
【００２７】
図３は、ＤＶＤ２０における第１記録層２０２及び第２記録層２０３の構成の一例を示す図である。第１記録層２０２は、第１記録層２０２の記録条件を特定するために使用されるテスト領域Ｔ１１と、情報を記録するデータ領域Ｄ１１とを有する。また、第２記録層２０３は、第２記録層２０３の記録条件を特定するために使用されるテスト領域Ｔ２１と、情報を記録するデータ領域Ｄ２１とを有する。ここで、テスト領域Ｔ１１とテスト領域Ｔ２１、データ領域Ｄ１１とデータ領域Ｄ２１は、それぞれＤＶＤ２０の同じ半径位置に存在する。
【００２８】
光ディスク記録再生装置１は、ＤＶＤ２０の記録層に情報を記録する際に、テスト領域にテストデータを記録するデータの試し書き処理を行うことにより最適記録パワー値を算出し、この算出された最適記録パワー値に基づいてデータ領域に情報を記録する際の記録パワー値を補正するＯＰＣを行う。
【００２９】
この図３からもわかるように、光ディスク記録再生装置１が行うＯＰＣでは、テスト領域において、第１記録層２０２にテストデータが記録されている場合、又は、テストデータが記録されていない場合の何れか一方で最適記録パワーを算出する。このため、光ディスク記録再生装置１では、第１記録層２０２にテストデータが記録されている場合、又は、テストデータが記録されていない場合の内の何れか一方で算出された最適記録パワーにＤＶＤ２０の物理特性に基づいて予め定められている定数を乗じることにより、他方の場合における最適記録パワーを算出する。
【００３０】
例えば、第１記録層２０２がテストデータ未記録状態である場合の第２記録層２０３における最適記録パワーをＰＡとすると、第１記録層２０２がテストデータ記録状態である場合の第２記録層２０３における記録パワーＰＢは、ＤＶＤ２０の物理特性に基づいて予め定められている定数αを用いてＰＢ＝ＰＡ×αで定められる。
【００３１】
光ディスク記録再生装置１では、このようにして、テスト領域において第１記録層２０２にテストデータが記録されている場合の最適記録パワーと、第１記録層２０２にテストデータが記録されていない場合の最適記録パワーを算出することができる。
【００３２】
光ディスク記録再生装置１は、ＤＶＤ２０が有する第１記録層２０２のテスト領域Ｔ１１にデータの試し書きを行う場合、テスト領域Ｔ１１におけるＤＶＤ２０の最も外周側から矢印Ｙ１方向にアドレスを順次使用する。また、第２記録層２０３にデータの試し書きを行う場合、テスト領域Ｔ２１におけるＤＶＤ２０の最も内周側から矢印Ｙ２方向にアドレスを順次使用する。
【００３３】
テスト領域Ｔ１１にテストデータが記録され始めると、テストデータが未だ記録されていない領域Ｔ１１ａと、テストデータが記録されている領域Ｔ１１ｂとが得られるようになる。同様に、テスト領域Ｔ２１にテストデータが記録され始めると、テストデータが記録されている領域Ｔ２１ａと、テストデータが未だ記録されていない領域Ｔ２１ｂとが得られるようになる。第２記録層２０３のテスト領域Ｔ２１にテストデータが記録される際、対物レンズ１２１を通過したレーザ光は、第１記録層２０２のテスト領域Ｔ１１を通過して第２記録層２０３のテスト領域Ｔ２１に到達する。
【００３４】
図４は、データ領域Ｄ１１及びデータ領域Ｄ２１の構成の一例を示す図である。図４の例では、データ領域Ｄ１１の一部にデータが記録されることにより、データが記録されている領域Ｄ１１ａと、データが未だ記録されていない領域Ｄ１１ｂとが得られ、また、データ領域Ｄ２１の一部にデータが記録されることにより、データが記録されている領域Ｄ２１ｂ，Ｄ２１ｄと、データが記録されていない領域Ｄ２１ａ，Ｄ２１ｃ，Ｄ２１ｅとが得られるようになる。対物レンズ１２１を通過したレーザ光は、第１記録層のデータ領域Ｄ１１を通過して第２記録層２０３のデータ領域Ｄ２１に到達する。
【００３５】
次に、光ディスク記録再生装置１におけるＯＰＣについて説明する。光ディスク記録再生装置１におけるＯＰＣは、所定の線速度で記録パワーを順次変化させて記録し、その後、その記録位置を再生して記録状態を評価し、最適な記録状態になる記録パワーを決定するものである。
【００３６】
光ディスク記録再生装置１は、マイクロコンピュータ１９の制御に基づいて、順次、記録パワーを変化させてＤＶＤ２０にデータを記録することができる。
【００３７】
ＤＶＤ２０のテスト領域にデータを記録した後、光ピックアップ１２で同じ記録位置を再生して再生信号（ＲＦ信号）を得る。このＲＦ信号の適当なパラメータを評価することにより記録状態が最適であるか否かを評価することができる。例えば、ＲＦ回路１４は、パラメータβを測定する。
【００３８】
ＲＦ回路１４は、ＲＦ信号の低域成分を除去してＡＣ結合し、その上側包絡線レベルａ及び下側包絡線レベルｂを検出する。記録膜の特性として、記録マーク部で反射率が下がると仮定し、ＲＦ信号は低反射部で低レベルになるとする。そうすると、適正な記録状態のときＡＣ結合されたＲＦ信号は、上下対称で、ａ＝ｂになる。また記録パワーが過大のときは、記録マーク部が長くなるため、ＡＣ結合すると上側レベルが高くなりａ＞ｂになる。また記録パワーが不足のときは、記録マーク部が短くなるため、ＡＣ結合すると下側レベルが高くなり、ａ＜ｂになる。このａとｂとの差をＲＦ振幅ａ＋ｂで正規化した量がβ、すなわち、β＝（ａ−ｂ）／（ａ＋ｂ）である。
【００３９】
ここで、βが大きいとパワー過大、小さいとパワー不足である。最適記録パワーは、βが所定の値（例えば、０．０４〜０．０５）になった場合であり、この場合のβをβtargetと呼ぶ。ＯＰＣでは、順次記録パワーを変化させて記録し、記録した部分のβ値を評価し、βtargetとなるときの記録パワーを算出することにより行われる。
【００４０】
ここで、最適記録パワーとは、再生レベルが大きく、且つ、再生信号に歪が少ないときの記録パワーをいう。
【００４１】
記憶部２１は、不揮発性メモリを使用し、ＯＰＣにより算出された最適記録パワーに補正するためのパラメータを記憶する。
【００４２】
一般に、多層の記録層を有する光ディスクでは、上位記録層、下位記録層においてそれぞれ最適記録パワーを算出することができる。記録層に情報を記録する際、この記録層よりも上位の記録層に既にデータが記録されている場合には、この上位記録層に未だデータが記録されていない場合とレーザ光の透過率が異なるため、最適記録パワーも未だ上位記録層にデータが記録されていない場合と異なる。このように、上位記録層にてデータが記録されているか否かにより最適パワーに誤差が生じている状態でデータの記録を行うと、信号品質が劣化して信号を再生できなくなる虞がある。
【００４３】
このため、光ディスク記録再生装置１は、上位記録層にデータが記録されているか、未だデータが記録されていないかに応じて下位記録層における最適記録パワーを変化させる。
【００４４】
また、通常のＤＶＤは、記録層がスピンコートによって作製されることにより厚みにムラが生じる。このため、ＤＶＤの内周側と外周側では、レーザ光の透過率及び反射率にも差が生じると考えられる。
【００４５】
このため、光ディスク記録再生装置１は、２層の記録層を有するＤＶＤ２０における第２記録層２０３のデータ領域に情報を記録する場合、第１記録層２０２を記録している間欠記録の休止期間中に、第１記録層２０２のデータが記録されている部分と同じ半径位置の第２記録層２０３におけるレーザ光の反射光量と、第１記録層２０２のデータが記録されていない部分と同じ半径位置の第２記録層２０３におけるデータの再生時のレーザ光の反射光量とを検出し、これら２つの反射光量から第１記録層２０２にデータが記録された後のレーザ光の反射光比率を算出する。なお、光ディスク記録再生装置１では、ＰＩ（Pull In）信号の信号量を検出してレーザ光の反射光量とする。
【００４６】
ここで、ＤＶＤ２０においてレーザ光の第２記録層２０３の反射光比率にばらつきがあるか否かを調べる実験を行った。第１記録層２０２の全データ領域にてデータが未記録の状態で１０００hex sector毎に第２記録層２０３におけるＰＩ信号の信号量を計測した後、第１記録層２０２の全データ領域にデータを記録して同じく１０００hex sector毎に第２記録層２０３におけるＰＩ信号の信号量を計測した。なお、信号の記録及び再生は、常温でＤＶＤ２０及びレーザが外気に触れる状態とし、第１記録層２０２におけるデータの記録パワーは、ＯＰＣにて算出された記録パワーを使用し、ＰＩ信号のＤＣレベルは、オシロスコープで目視にて測定した。
【００４７】
（第１記録層２０２の全データ領域にデータを記録した際の第２記録層２０３におけるＰＩ信号の信号量）／（第１記録層２０２の全データ領域にてデータが未記録の状態で１０００hex sector毎に第２記録層２０３におけるＰＩ信号の信号量）×１００（％）をレーザ光の反射光比率（％）として第２記録層２０３のアドレス毎に算出した結果を図５に示す。この図５に示すように、ＤＶＤ２０の内周側と外周側とでは反射光比率にばらつきがあり、外周側になると反射光比率が大きくなった。
【００４８】
このことから、光ディスク記録再生装置１は、ＤＶＤ２０の半径位置による反射光比率の違いを考慮して、第２記録層２０３のデータ領域の所定位置に情報を記録する前に、この記録を行おうとする位置にて検出した反射光比率に基づいてＯＰＣで算出した記録パワー値を補正するようにする。
【００４９】
すなわち、光ディスク記録再生装置１は、ＤＶＤ２０が有する第２記録層２０３のデータ領域に情報を記録する場合、第１記録層２０２を記録している間欠記録の休止期間中に、上述のＯＰＣにより記録パワー値を算出するとともに、第１記録層２０２のデータ領域のデータが記録されている位置と同じ半径位置の第２記録層２０３におけるレーザ光の反射光量と、第２記録層２０２のデータ領域のデータが記録されていない位置と同じ半径位置の第２記録層２０３におけるレーザ光の反射光量とを検出し、両者の比率を反射光比率として算出する。
【００５０】
そして、データ領域において算出した反射光比率に応じて、ＯＰＣによって算出した記録パワー値を補正し、この補正された記録パワー値を最適記録パワー値として記憶部２１に記憶させる。その後、マイクロコンピュータ１９は、ＤＶＤ２０の第２記録層２０３に情報を記録する際、この記憶部２１に記憶させた最適記録パワー値を用いてレーザ光を出射するように光ピックアップ１２を制御する。
【００５１】
図６は、ＤＶＤ２０のデータ領域における反射光比率の算出方法の一例を説明するための図である。図６に示すように、第１記録層２０２のデータ領域Ｄ１２がデータが記録されている領域Ｄ１２ａと、データが未だ記録されていない領域Ｄ１２ｂとからなり、第２記録層２０３のデータ領域Ｄ２２の全領域がデータが未だ記録されていない領域からなるとする。光ディスク記録再生装置１は、レーザ光を、例えば第１記録層２０２の領域Ｄ１２ａを透過させて第２記録層２０３のデータ領域Ｄ２２に情報を記録する場合、第１記録層２０２の間欠記録の記録休止期間中に、このデータを記録すべき半径位置Ａ、及び、第１記録層２０２のデータが未だ記録されていない領域Ｄ１２ｂにおける半径位置Ｂにおいて、それぞれレーザ光の反射光量を検出する。そして、半径位置Ｂにて検出された反射光量に対する半径位置Ａにて検出された反射光量で示される反射光比率に応じてＯＰＣによって算出した記録パワーを補正するようにする。
【００５２】
第１記録層２０２の透過率が大きくなった場合、第２記録層２０３へのレーザ光量が増えることによって記録パワーも下がることから、ＯＰＣにて算出された記録パワー値から上述の反射光比率の差に応じた記録パワー値を差し引く補正を行って最適記録パワー値を算出する。
【００５３】
一方、第１記録層２０２の透過率が小さくなった場合、第２記録層２０３へのレーザ光量が減ることによって記録パワーも上がることから、ＯＰＣにて算出された記録パワー値に上述の反射光比率の差に応じた記録パワー値を加算する補正を行って最適記録パワー値を算出する。
【００５４】
このように、光ディスク記録再生装置１は、ＤＶＤの何れの半径位置においても、算出された反射光比率に基づいて最適記録パワーの調整を行うことにより、第１記録層２０２の透過率のＤＶＤの内周、中周、外周でのばらつきを緩和することが可能となる。
【００５５】
また、光ディスク記録再生装置１は、起動時間を増やすことなく、データの間欠記録の記録休止期間中に、ＤＶＤ２０の第２記録層２０３におけるデータを記録しようとする位置の最適記録パワー値を算出することができる。
【００５６】
また、光ディスク記録再生装置１は、多層の記録層の内、レーザ光の入射側に近い記録層である上位記録層において、記録・未記録による反射光比率をデータの間欠記録の記録休止期間中に算出するため、短時間且つ簡易な構成で、下位記録層へ情報を記録する際の最適記録パワー値を算出することが可能となる。
【００５７】
なお、本発明は上述した実施の形態のみに限定されるものではなく、本発明の要旨を逸脱しない範囲において種々の変更が可能であることは勿論である。
【００５８】
例えば、上述した実施の形態では、ＤＶＤ２０として何れの種類のＤＶＤを用いても本発明を適用することが可能である。
【００５９】
また、上述した実施の形態では、光ディスクとしてＤＶＤを用いたが、ＣＤ（Compact Disc）等、何れの種類の光ディスクを用いてもよい。
【図面の簡単な説明】
【００６０】
【図１】本発明を適用した実施の形態における光ディスク記録再生装置の構成を示す図である。
【図２】本実施の形態におけるＤＶＤの概略的な構成を示した図である。
【図３】本実施の形態におけるＤＶＤの第１記録層及び第２記録層の構成の一例を示す図である。
【図４】ＤＶＤのデータ領域の構成の一例を示す図である。
【図５】ＤＶＤの第２記録層における反射光比率の変化を示す図である。
【図６】ＤＶＤのデータ領域における反射光比率測定の一例を説明するための図である。
【符号の説明】
【００６１】
１  光ディスク記録再生装置、１１  スピンドルモータ、１２  光ピックアップ、１３  サーボ回路、１４  ＲＦ回路、１５  復調回路、１６  Ｉ／Ｆ、１７  変調回路、１８  ＬＤドライブ回路、１９  マイクロコンピュータ、２０  ＤＶＤ、２１  記憶部
【図１】
2009070463.tif 000003
【図２】
2009070463.tif 000004
【図３】
2009070463.tif 000005
【図４】
2009070463.tif 000006
【図５】
2009070463.tif 000007
【図６】
2009070463.tif 000008